(57)【要約】【課題】  本発明は、細かい高さ調節が可能なプロジェクタを提供し、更には例えばこのようなプロジェクタに用い、部品点数が少なく、組み立てや調整が容易なプロジェクタ等の吊下げ装置を提供する。【解決手段】  プロジェクタ１は高さ調整可能な複数の脚部２１〜２３を有し、プロジェクタ１を天井等に取付ける場合、プロジェクタ１を逆さにして脚部２２、２３を抜取り、脚部２１を引出し、まず吊下げ装置４０のＬ字型のかぎ部５１を脚部２１に掛ける。次に、吊下げ装置４０の孔部５２、５３をそれぞれプロジェクタ機器本体１に形成された脚部２２、２３用の図示せぬ孔に合わせた上で抜き取った脚部２２、２３を差し込む。これによりプロジェクタ１前面部分の高さは脚部２１を用いて高さ調節でき、プロジェクタ１の左右の高さとその角度は脚部２２、２３を用いて調節できる。【選択図】  図８
2007272097.tif 000002
【特許請求の範囲】
【請求項１】
その前面に光を投影する投影部を有するプロジェクタにおいて、
当該プロジェクタの底面でかつ前方中央部分に設けられ、高さ調節のため一定の長さの範囲で引き出し可能でかつ抜き取り不可能な第１の脚部と、
当該プロジェクタの底面でかつ後方の一端部分に設けられ、高さ調節のため一定の長さの範囲で引き出し可能な第２の脚部と、
当該プロジェクタの底面でかつ後方の他端部分に設けられ、高さ調節のため一定の長さの範囲で引き出し可能な第３の脚部と、
を有することを特徴とするプロジェクタ。
【請求項２】
前記第１乃至第３の脚部はねじ構造で形成されていることを特徴とする請求項１記載のプロジェクタ。
【請求項３】
前記第２および前記第３の脚部は、抜き取り可能に形成されていることを特徴とする請求項１あるいは請求項２のいずれか記載のプロジェクタ。
【請求項４】
高さ調節可能な複数の脚部を有するプロジェクタの機器本体を天井等に取り付けるためのプロジェクタの吊下げ装置において、
前方中央部分に設けられ、前記プロジェクタ機器本体の前方中央部に設けられた脚部に引っ掛けるための切欠けからなる第１の取付部と、
後方に設けられ、前記プロジェクタ機器本体の後方に設けられた複数の脚部に取り付けるための孔部からなる複数の第２の取付部と、
天井等の取り付けるための第３の取付部と、
を有することを特徴とする吊下げ装置。
【請求項５】
前記プロジェクタ機器本体に当該吊下げ装置を取り付ける際に、前記プロジェクタ機器本体と前記第２の取付部との間に挿入され、前記第２の取付部に取付けられた前記プロジェクタの脚部を固定するための締め具を有することを特徴とする請求項４記載の吊下げ装置。
【請求項６】
前記第１の取付部は、Ｌ字型の切欠部からなることを特徴とする請求項４記載の吊下げ装置。
【発明の詳細な説明】
【技術分野】
【０００１】
本発明は、３箇所の高さ調整可能な脚部を有するプロジェクタに関し、更に例えばこのようなプロジェクタに用い、部品点数が少なく、組み立てや調整が容易なプロジェクタ等の吊下げ装置に関する。
【背景技術】
【０００２】
液晶プロジェクタなどのプロジェクタにおいては、プロジェクタ機器本体を部屋の天井等に係止して使用する場合も多い。特にテレビ映像等を投写表示するプロジェクタにおいては、単に機器本体を天井等に係止するだけでは足りず、設置場所に合わせた最適な角度などに調整する必要がある。そのため、このような機器本体を天井等に係止する吊下げ装置は、一般に構造が複雑となり、部品点数が多くなることから、組み立ての手間も掛かる上、取り付け時の調整方法も難しくなるという問題が生じる可能性がある。
【０００３】
このような問題を解決するために、プロジェクタに対して、プロジェクタ機器本体の後部を吊下げて支持するための支持部からなり、プロジェクタ機器本体の天板の前部左右に、機器本体を天井に取り付けるための取付部とからなる天吊装置に関する技術が考えられている（例えば、特許文献１参照）。
【特許文献１】特開２００２−３４４８４６公報
【発明の開示】
【発明が解決しようとする課題】
【０００４】
しかしながら、従来の装置では、プロジェクタ機器本体を部屋の天井等に係止して使用する場合には、プロジェクタの機器本体の天板の所定の位置に、フックなどからなる支持部や、取付板などをまず取り付けなければならず、相変わらず、プロジェクタ機器本体以外の部品点数も多く、構造も複雑で、組み立ての手間も掛かり、取り付け時の調整方法も難しいという問題点が解消されていない。また、プロジェクタ機器本体についてもこれらを改善するための手立てが何らなされていない。
【０００５】
本発明は、以上の点に鑑みなされたもので、細かい高さ調節が可能なプロジェクタを提供し、更には例えばこのようなプロジェクタに用い、部品点数が少なく、組み立てや調整が容易なプロジェクタ等の吊下げ装置を提供することを目的とする。
【課題を解決するための手段】
【０００６】
上記目的を達成するために、本発明のプロジェクタは、その前面に光を投影する投影部を有するプロジェクタにおいて、当該プロジェクタの底面でかつ前方中央部分に設けられ、高さ調節のため一定の長さの範囲で引き出し可能でかつ抜き取り不可能な第１の脚部と、当該プロジェクタの底面でかつ後方の一端部分に設けられ、高さ調節のため一定の長さの範囲で引き出し可能な第２の脚部と、当該プロジェクタの底面でかつ後方の他端部分に設けられ、高さ調節のため一定の長さの範囲で引き出し可能な第３の脚部と、を有することを特徴とする。
【０００７】
上記目的を達成するために、本発明のプロジェクタの吊下げ装置は、高さ調節可能な複数の脚部を有するプロジェクタの機器本体を天井等に取り付けるためのプロジェクタの吊下げ装置において、前方中央部分に設けられ、前記プロジェクタ機器本体の前方中央部に設けられた脚部に引っ掛けるための切欠けからなる第１の取付部と、後方に設けられ、前記プロジェクタ機器本体の後方に設けられた複数の脚部に取り付けるための孔部からなる複数の第２の取付部と、天井等の取り付けるための第３の取付部と、を有することを特徴とする。
【発明の効果】
【０００８】
本発明によれば、細かい高さ調節が可能なプロジェクタを提供し、更には例えばこのようなプロジェクタに用い、部品点数が少なく、組み立てや調整が容易なプロジェクタ等の吊下げ装置を提供することができる。
【発明を実施するための最良の形態】
【０００９】
以下、この発明の実施の形態について、図面を参照して詳細に説明する。図１は、本実施の形態に係るプロジェクタ１の下方向からの斜視図である。
【００１０】
プロジェクタ機器本体１は、矩形状の筐体を有している。その前方部に、図示せぬ外部のスクリーンに対して光を照射するためのレンズ部１０を有している。また、その下部には、機器本体１を机などの上に置いて使用する際に高さ調節を行うための３箇所からなる脚部２１、２２、２３を有している。
【００１１】
脚部２１は、第１の脚部を構成し、ねじ構造かつ抜き取り不可能に形成されている。脚部２１は、プロジェクタ機器本体１の底面でかつ前方中央部分に設けられている。脚部２１は、プッシュボタン３１を押下すると、一定の長さの範囲内で引き出し自在となる。
【００１２】
また、脚部２１は、プッシュボタン３１を戻すと、脚部２１は引き出された高さにて固定される。脚部２１を引き出した後は、プッシュボタン３１を押下して脚部２１を出し入れすることにより高さ調節するか、あるいは一定方向に回転させることにより、高さの微調整を行うことが可能である。
【００１３】
脚部２２、２３は、第２及び第３の脚部を構成し、ねじ構造を有する。脚部２２、２３は、プロジェクタ機器本体１の底面でかつ後方端部にそれぞれ設けられている。脚部２２、２３は、一定方向に回転させることにより、高さの調整を行うようになっている。脚部２２、２３は、回転することにより機器本体１より抜き取ることができる構造となっている。
【００１４】
図２は、このようにして脚部２１、２２、２３を機器本体１より引き出した様子を示す斜視図である。図２に示すように、本実施の形態では、プロジェクタ１は、３点の高さ調節自在の脚部２１、２２、２３を有することにより、机上に置いて使用する際に、どのような平らでない場所に置かれたとしても、他の部材などを用いることなく、高さ調節を行うことが可能となる。
【００１５】
図３は、プロジェクタ機器本体１を天井等に取り付けるために、上下逆に配置した図である。天井等に取り付けるために、まず、機器本体１より脚部２２、２３を回転させて抜き取る必要がある。また、脚部２１はある程度の長さだけ引き出しておく必要がある。
【００１６】
図４乃至図６は、プロジェクタ等の吊下げ装置４０の構成を示す図である。図４は、組み立てられた吊下げ装置４０の左側面図であり、図５は上面図であり、図６は底面図である。吊下げ装置４０は、天井等に実際に取り付けられる第１の部品４１と、プロジェクタ１に直接取り付けられる第２の部品４２とから構成されている。なお、本実施の形態では、吊下げ装置４０は２つの部品から構成しているが、一体成形で製造してもよい。
【００１７】
吊下げ装置４０の第１の部品４１は、図４及び図５に示すように、その長手中央部分がコの字型に形成されており、長手上方と下方に、天井等に取り付けるための取付部４３、４４（第３の取付部を構成）が形成されている。コの字型の中心部分には第２の部品４２と組み立てるための接続部４５が形成されている。
【００１８】
吊下げ装置４０の第２の部品４２は、図４及び図６に示すように、平面方向にＴの字型に形成されており、左右に突出している部分にはプロジェクタ機器本体１の脚部２２、２３に取り付けるための孔部５２、５３が形成されている。この孔部５２、５３は、第２の取付部を構成する。
【００１９】
第２の部品４２の手前に突出している部分にはプロジェクタ機器本体１の脚部２１に取り付けるためのＬ字型のかぎ部５１が形成されている。このかぎ部５１のＬ字形状は、第１の取付部を構成し、プロジェクタ１の脚部２１を掛けるためのものである。かぎ部５１は、脚部２１が外れない程度に左右（横方向）に微調整できるだけの寸法のＬ字に形成されている。
【００２０】
また、第２の部品４２の中央部分は第１の部品４１と組み立てるための接続部５４が形成されている。第１の部品４１の接続部４５と第２の部品４２の接続部５４とが組み合わせられ、図４に示すように、ボトルとナット等による接続部材５５により結合される。
【００２１】
図７は、このように組み立てられた吊下げ装置４０をプロジェクタ１に取り付ける際の手順を示す図である。図７に示すように、まず、ユーザはプロジェクタ機器本体１を図３に示すように逆さに置き、脚部２２、２３を回転させて抜き取り、脚部２１はある程度の長さだけ引き出しておく。
【００２２】
そして、組み立てられた吊下げ装置４０をプロジェクタ１に取り付ける。まず、吊下げ装置４０の第２の部品４２に設けられたＬ字型のかぎ部５１に脚部２１を掛け嵌める。即ち、かぎ部５１に脚部２１をまず垂直方向に掛け、次にＬ字型に沿って水平方向左側に嵌めこむようになっている。
【００２３】
次に、既に抜き取ってある脚部２２、２３を嵌めるため、吊下げ装置４０の孔部５２、５３をそれぞれプロジェクタ機器本体１に形成された脚部２２、２３用の図示せぬ孔に合わせた上で、脚部２２、２３を差し込むようになっている。また、この際、プロジェクタ機器本体１と吊下げ装置４０の第２の部品４２の間にナット等の締め具６０を追加して挿入することにより、プロジェクタ１の高さや角度などを微調整した後に、ずれないよう締め具６０にて固定するが可能である。
【００２４】
図８は、このように取り付けられたプロジェクタ１と吊下げ装置４０を天井等１００に取り付けた際の側面図である。図８に示すように、プロジェクタ１前面部分の高さは、プロジェクタ１の脚部２１を回転することにより、高さ調節することができる。また、プロジェクタ１の左右の高さとその角度については、プロジェクタ１の脚部２２、２３を回転することにより、高さ及び角度を調節することができる。
【００２５】
これにより、プロジェクタ自体に３箇所の高さ調整可能な脚部を有することから細かい高さや角度の調節が可能なプロジェクタを提供し、更にはこのようなプロジェクタに用いて、部品点数が少なく、組み立てや調整が容易なプロジェクタ等の吊下げ装置を提供することができる。
【図面の簡単な説明】
【００２６】
【図１】本発明に係る本実施の形態のプロジェクタ１の斜視図。
【図２】脚部２１、２２、２３を機器本体１より引き出した様子を示す斜視図。
【図３】プロジェクタ機器本体１を天井等に取り付けるために、上下逆に配置した図。
【図４】プロジェクタ等の吊下げ装置４０の構成を示す図。
【図５】プロジェクタ等の吊下げ装置４０の構成を示す上面図。
【図６】プロジェクタ等の吊下げ装置４０の構成を示す底面図。
【図７】吊下げ装置４０をプロジェクタ１に取り付ける際の手順を説明するための図。
【図８】プロジェクタ１と吊下げ装置４０を天井等１００に取り付けた際の側面図。
【符号の説明】
【００２７】
１    プロジェクタ
２１、２２、２３    脚部
３１    プッシュボタン
４０    吊下げ装置
４１    第１の部品
４２    第２の部品
４３、４４    取付部
４５、５４    接続部
５１    Ｌ字型かぎ部
５２、５３    孔部
５５    接続部材
６０    締め具
【図１】
2007272097.tif 000003
【図２】
2007272097.tif 000004
【図３】
2007272097.tif 000005
【図４】
2007272097.tif 000006
【図５】
2007272097.tif 000007
【図６】
2007272097.tif 000008
【図７】
2007272097.tif 000009
【図８】
2007272097.tif 000010